(57)【要約】【課題】文字の印刷ができなかったことを示すマークを印刷する。【解決手段】印刷装置は、データを受信する印刷データ受信装置１２と、受信されたデータに対応する文字パターンを用いて連続紙に文字を印刷し、受信されたデータに対応する文字パターンが存在しないと制御装置５０に判定されたときに、連続紙の折り目にマークを印刷する印刷機構１６と、を備えている。【選択図】図１
2009023119.tif 000002
【特許請求の範囲】
【請求項１】
データを受信する受信手段と、
前記受信手段により受信されたデータに対応する文字パターンを用いて連続紙に文字を印刷する印刷手段と、
前記受信手段により受信されたデータに対応する文字パターンが存在しないときに前記連続紙の折り目にマークを印刷するマーク印刷手段と、
を備えた印刷装置。
【請求項２】
前記マーク印刷手段は、連続紙の折り目の山側部分に前記マークを印刷する
請求項１に記載の印刷装置。
【請求項３】
前記印刷手段は、前記受信手段により受信されたデータに対応する文字パターンが存在しないときは、前記存在しない文字パターンのページ以外のページを印刷する
請求項１または請求項２に記載の印刷装置。
【請求項４】
前記前記受信手段により受信されたデータに対応する文字パターンが存在しないことを通知する通知手段を更に備えた
請求項１から請求項３のいずれか１項に記載の印刷装置。
【請求項５】
前記マーク印刷手段は、前記連続紙の１つの折り目に、２ページ分の文字パターンが存在するか否かを示すマークを印刷する
請求項１から請求項４のいずれか１項に記載の印刷装置。
【発明の詳細な説明】
【技術分野】
【０００１】
本発明は、印刷装置に関する。
【背景技術】
【０００２】
特許文献１には、連続紙を印刷するプリンタで複数のジョブリスト等を大量に印刷する場合、印刷結果をめくることなく側面を見るだけで印刷ジョブ名称を容易に判別するジョブセパレータによるジョブ名称印刷制御方式が開示されている。
【０００３】
特許文献１では、同文献の図１に示すように、受信バッファ１０３は、印刷データを受信すると、ジョブセパレータ編集部１０４にジョブ名称を、ページ印刷データ編集部１０５へ印刷データを振り分ける。ジョブセパレータ編集部１０４は、ジョブ名称をイメージ展開しラスタ単位に分解し、ページ印刷データ編集部１０５へ渡す。印刷部１０６は、ページ印刷データ編集部１０５からの印刷データ及びジョブセパレータを印字する。
【０００４】
特許文献２には、頁数の少ないジョブが続いた場合でも、用紙の無駄を作ることなく、用紙が折りたたまれた状態でジョブとジョブの境目を確実に見分けられるようにする連続紙印刷装置が開示されている。具体的には、特許文献２の連続紙印刷装置は、ジョブセパレーション印刷機能を有し、ジョブセパレーション印刷位置を３箇所以上設けて、ジョブ毎にジョブセパレーションの印刷位置を変えている。
【特許文献１】特開２００４−１８１７４０号公報
【特許文献２】特開２００４−１８１９０５号公報
【発明の開示】
【発明が解決しようとする課題】
【０００５】
本発明は、上述した課題を解決するために提案されたものであり、文字の印刷ができなかったことを示すマークを印刷できる印刷装置を提供することを目的とする。
【課題を解決するための手段】
【０００６】
請求項１の発明は、データを受信する受信手段と、前記受信手段により受信されたデータに対応する文字パターンを用いて連続紙に文字を印刷する印刷手段と、前記受信手段により受信されたデータに対応する文字パターンが存在しないときに前記連続紙の折り目にマークを印刷するマーク印刷手段と、を備えた印刷装置である。
【０００７】
請求項２の発明は、請求項１に記載の印刷装置であって、前記マーク印刷手段は、連続紙の折り目の山側部分に前記マークを印刷する。
【０００８】
請求項３の発明は、請求項１または請求項２に記載の印刷装置であって、前記印刷手段は、前記受信手段により受信されたデータに対応する文字パターンが存在しないときは、前記存在しない文字パターンのページ以外のページを印刷する。
【０００９】
請求項４の発明は、請求項１から請求項３のいずれか１項に記載の印刷装置であって、前記前記受信手段により受信されたデータに対応する文字パターンが存在しないことを通知する通知手段を更に備えている。
【００１０】
請求項５の発明は、請求項１から請求項４のいずれか１項に記載の印刷装置であって、前記マーク印刷手段は、前記連続紙の１つの折り目に、２ページ分の文字パターンが存在するか否かを示すマークを印刷する。
【発明の効果】
【００１１】
請求項１に記載の発明によれば、文字の印刷ができなかったことを示すマークを印刷することができる。
【００１２】
請求項２に記載の発明によれば、連続紙が折り畳まれた状態でも分かるようにマークを印刷することができる。
【００１３】
請求項３に記載の発明によれば、完全に印刷できないページがあるのを防止することができる。
【００１４】
請求項４に記載の発明によれば、データに対応する文字パターンが存在しないことを報知することができる。
【００１５】
請求項５に記載の発明によれば、２ページ分の文字パターンが存在するかが分かるマークを印刷することができる。
【発明を実施するための最良の形態】
【００１６】
以下、本発明の好ましい実施の形態について図面を参照しながら詳細に説明する。
【００１７】
図１は、本実施形態に係る連続紙を印刷する印刷装置の概略を表す構成図である。印刷装置は、連続紙Ｐを収容するホッパ１４と、トナー像を連続紙Ｐに形成する印刷機構１６と、定着器４２と、スプロケット２１と、搬送ローラ対２２、２４、２６、２８、３０、３２と、連続紙Ｐを蓄積するスタッカ４６と、を備えている。
【００１８】
スプロケット２１が回転すると、スプロケット２１の歯の先端が連続紙Ｐの両側面に形成された送り孔に順に挿入されて、連続紙Ｐが送り出され給紙される。搬送ローラ対２２、２４、２６、２８、３０、３２は、連続紙Ｐの搬送経路に沿って設けられている。搬送ローラ対２２、２４、２６、２８、３０、３２が回転することによって、ホッパ１４からスプロケット２１によって給紙された連続紙Ｐは、給紙口Ｆから排紙口Ｇを通ってスタッカ４６まで搬送される。
【００１９】
また、給紙口Ｆには、印刷装置に連続紙Ｐが給紙されているか否かを検知するための給紙検知センサ１９が設けられている。給紙検知センサ１９は、用紙を挟むように配置された発光素子１８及び受光素子２０から構成され、発光素子１８からの光が用紙によって遮断され受光素子２０によって受光できないか否かを検出することにより、用紙の給紙を検知する。
【００２０】
印刷機構１６は、連続紙Ｐの搬送経路の途中に設けられており、感光体ドラム３６、現像器３８、及び転写ユニット４０の他、図示しない感光体ドラム３６を露光する露光装置や感光体ドラム３６を帯電する帯電器等を有している。
【００２１】
感光体ドラム３６に配設された帯電器が、低速回転する感光体ドラム３６を帯電する。帯電された感光体ドラム３６の表面は、露光装置により出力画像の画像データに応じて変調された光ビームで露光され、静電潜像が形成される。この静電潜像は、現像ｇ器３８により現像される。現像されたトナー像は、転写ユニット４０で、給紙口Ｆから搬送された連続紙Ｐ上に転写される。連続紙Ｐに転写されたトナー像は、定着器４２で定着される。これにより、連続紙Ｐ上に画像が印刷され、印刷された連続紙Ｐはスタッカ４６まで搬送される。
【００２２】
また、印刷装置は、図示を省略したホストコンピュータからの印刷データを受信する印刷データ受信装置１２と、受信した印刷データを蓄積するための記憶装置５２と、を備えている。記憶装置５２に蓄積された印刷データは、印刷機構１６で画像を印刷するための印刷データとしてページバッファを介して印刷機構１６に供給される。また、記憶装置５２は、
また、印刷中に、用紙ジャム等の搬送障害が発生した場合には、ページ情報を検出するセンサである第１の読取センサ６０によって読取られた印刷ページ情報に基づいて、用紙ジャム等の搬送障害が判断される。
【００２３】
さらに、印刷装置は、ＣＰＵ、ＲＡＭ、及びＲＯＭを備えたマイクロコンピュータで構成された制御装置５０を有している。ＣＰＵ、ＲＡＭ、及びＲＯＭは、システムバス等を介して相互に接続されている。ＲＯＭには、印刷処理を行うための印刷処理ルーチンのプログラム等が記憶されている。
【００２４】
図２は、制御装置５０により実行される印刷処理ルーチンを示すフローチャートである。すなわち、制御装置５０は、次のステップＳ１からステップＳ２５までの処理を繰り返し実行する。
【００２５】
ステップＳ１では、制御装置５０は、印刷データ受信装置１２により文字コードを含む印刷データを受信したことを検出すると、ステップＳ２に進む。
【００２６】
ステップＳ２では、制御装置５０は、連続紙Ｐの印刷対象となるページの搬送方向下流側の折り目が山折りであるか否かを判定する。そして、肯定判定のときはステップＳ１１に進み、否定判定のときはステップＳ３に進む。
【００２７】
ステップＳ３では、制御装置５０は、連続紙Ｐのうち印刷対象となるページについて、印刷データに含まれる文字コードに対応する文字パターンがすべて記憶装置５２にあるか否かを判定し、肯定判定のときはステップＳ９に進み、否定判定のときはステップＳ４に進む。
【００２８】
ステップＳ４では、制御装置５０は、ホストコンピュータに、記憶装置５２になかった文字パターンを要求して、ステップＳ５に進む。
【００２９】
ステップＳ５では、制御装置５０は、ホストコンピュータからの応答信号に基づいて、ホストコンピュータに、要求した文字パターンがあるか否かを判定し、肯定判定のときはステップＳ１０に進み、否定判定のときはステップＳ６に進む。
【００３０】
ステップＳ６では、制御装置５０は、フラグ２を“オン”に設定して、ステップＳ７に進む。ここで、フラグ２は、連続紙Ｐの印刷対象となるページの搬送方向下流側の折り目が谷折りである場合に、そのページを印刷するための文字パターンがすべて印刷されたか否かを示すフラグである。
【００３１】
ステップＳ７では、制御装置５０は、受信されたデータに基づいて連続紙Ｐに印刷を行うように印刷機構１６を制御して、ステップＳ８に進む。これにより、印刷機構１６は、文字パターンのない文字については印刷できないが、それ以外の文字、記号、画像等を印刷する。なお、制御装置５０は、文字パターンのないページについては印刷を実行しないように印刷機構１６を制御してもよい。
【００３２】
ステップＳ８では、制御装置５０は、印刷対象を次のページへ移行して、ステップＳ１に戻る。
【００３３】
一方、ステップＳ９では、制御装置５０は、受信されたデータに基づいて連続紙Ｐに印刷を行うように印刷機構１６を制御して、ステップＳ８に進む。このとき、印刷機構１６は、すべての文字を印刷する。
【００３４】
ステップＳ１０では、制御装置５０は、ホストコンピュータから文字パターンをダウンロードして記憶装置５２に記憶させ、その文字パターンを用いて、受信されたデータに基づいて連続紙Ｐに印刷を行うように印刷機構１６を制御して、ステップＳ８に進む。これにより、当初記憶装置５２に文字パターンが記憶されていなかった場合でも、印刷機構１６はすべての文字を印刷する。
【００３５】
ステップＳ１１では、制御装置５０は、連続紙Ｐのうち印刷対象となるページについて、印刷データに含まれる文字コードに対応する文字パターンがすべて記憶装置５２にあるか否かを判定し、肯定判定のときはステップＳ１９に進み、否定判定のときはステップＳ１２に進む。
【００３６】
ステップＳ１２では、制御装置５０は、ホストコンピュータに、記憶装置５２になかった文字パターンを要求して、ステップＳ１３に進む。
【００３７】
ステップＳ１３では、制御装置５０は、ホストコンピュータからの応答信号に基づいて、ホストコンピュータに、要求した文字パターンがあるか否かを判定し、肯定判定のときはステップＳ２０に進み、否定判定のときはステップＳ１４に進む。
【００３８】
ステップＳ１４では、制御装置５０は、フラグ１を“オン”に設定して、ステップＳ１５に進む。フラグ１は、連続紙Ｐの印刷対象となるページの搬送方向下流側の折り目が山折りである場合に、そのページを印刷するための文字パターンがすべて印刷されたか否かを示すフラグである。
【００３９】
ステップＳ１５では、制御装置５０は、受信されたデータに基づいて連続紙Ｐに印刷を行うように印刷機構１６を制御して、ステップＳ１６に進む。これにより、印刷機構１６は、文字パターンのない文字については印刷できないが、それ以外の文字、記号、画像等を印刷する。なお、制御装置５０は、文字パターンのないページについては印刷を実行しないように印刷機構１６を制御してもよい。
【００４０】
ステップＳ１６では、制御装置５０は、フラグ２＝“オン”であるか否かを判定し、肯定判定のときはステップＳ１７に進み、否定判定のときはステップＳ１８に進む。
【００４１】
ステップＳ１７では、制御装置５０は、マークをどのように印刷するかを示すフラグであるマーク印刷フラグ“ＸＹ”を設定する。ここで、Ｘはフラグ１に対応し、フラグ１がオンのときはＸ＝１であり、フラグ１がオフのときはＸ＝０になる。また、Ｙはフラグ２に対応し、フラグ２がオンのときはＹ＝１であり、フラグ２がオフのときはＹ＝０になる。本ステップでは、制御装置５０は、現段階のフラグ１、フラグ２を用いて、マーク印刷フラグを“１１”と設定して、ステップＳ２４に進む。
【００４２】
ステップＳ１８では、制御装置５０は、現段階のフラグ１、フラグ２を用いて、マーク印刷フラグを“１０”と設定して、ステップＳ２４に進む。
【００４３】
一方、ステップＳ１９では、制御装置５０は、受信されたデータに基づいて連続紙Ｐに印刷を行うように印刷機構１６を制御して、ステップＳ２１に進む。このとき、印刷機構１６は、すべての文字を印刷する。
【００４４】
また、ステップＳ２０では、制御装置５０は、ホストコンピュータから文字パターンをダウンロードして記憶装置５２に記憶させ、その文字パターンを用いて、受信されたデータに基づいて連続紙Ｐに印刷を行うように印刷機構１６を制御して、ステップＳ２１に進む。これにより、当初記憶装置５２に文字パターンが記憶されていなかった場合でも、印刷機構１６はすべての文字を印刷することができる。
【００４５】
ステップＳ２１では、制御装置５０は、フラグ２＝“オン”であるか否かを判定し、肯定判定のときはステップＳ２２に進み、否定判定のときはステップＳ２３に進む。
【００４６】
ステップＳ２２では、制御装置５０は、現段階のフラグ１、フラグ２を用いて、マーク印刷フラグを“０１”と設定して、ステップＳ２４に進む。
【００４７】
ステップＳ２３では、制御装置５０は、現段階のフラグ１、フラグ２を用いて、マーク印刷フラグを“００”と設定して、ステップＳ２４に進む。
【００４８】
ステップＳ２４では、制御装置５０は、マーク印刷フラグに基づいて、連続紙Ｐの山折り（山側の折り目）にマークを印刷するように印刷機構１６を制御する。
【００４９】
図３は、折り目に形成されるマークを示す図である。例えば、ＡＢＣＤの各文字を印刷しようとして、Ｃの文字パターンだけが記憶装置５２に存在しなかった場合は、用紙の折り目にマークが印刷される（※１）。また、ＥＦＧＨの各文字を印刷しようとして、すべての文字を印刷できた場合、用紙の折り目にはマークは印刷されない（※２）。また、ＩＪＫＬの各文字を印刷しようとして、Ｊの文字パターンだけが記憶装置５２に存在せず、谷折りにマークが印刷されなかったときは、次の山折りにマークが印刷される（※３）。また、印刷機構１６は、マーク印刷フラグに基づいて、折り目に次のマークを印刷してもよい。
【００５０】
図４は、マーク印刷フラグによって山折りに印刷されるマークの一例を示す図である。ここでは、太線は実際に印刷されるマークを示し、細線は実際には印刷されるものではない。図４において、両端のマークはマーキングの範囲を示すものであり、左から２番目のマークはマーク印刷フラグのＸが０か１かを表し、右から２番目のマークはマーク印刷フラグのＹが０か１かを表している。
【００５１】
そして、制御装置５０は、印刷機構１６の印刷処理が終了すると、ステップＳ２５に進む。ステップＳ２５では、制御装置５０は、印刷対象を次のページへ移行して、ステップＳ１に戻る。
【００５２】
なお、本発明は、上述した実施の形態に限定されるものではなく、特許請求の範囲に記載された範囲内で設計上の変更をされたものにも適用可能であるのは勿論である。
【００５３】
例えば、制御装置５０は、図２に示すステップＳ４、Ｓ５、Ｓ１０、Ｓ１２、Ｓ１３、Ｓ２０の処理を省略してもよい。また、制御装置５０は、ステップＳ６、Ｓ１４において、文字パターンのなかったページを記憶し、印刷完了後にホストコンピュータに対して、文字パターンのなかったページの情報を通知してもよい。
【００５４】
また、制御装置５０は、印刷機構１６に対して、図４に示すマークを印刷するように制御する代わりに、１つのマークを印刷するように制御してもよい。このとき、制御装置５０は、図２に示すステップＳ１６〜１８、Ｓ２１〜Ｓ２３の処理を省略してもよい。
【図面の簡単な説明】
【００５５】
【図１】本実施形態に係る連続紙を印刷する印刷装置の概略を表す構成図である。
【図２】制御装置により実行される印刷処理ルーチンを示すフローチャートである。
【図３】折り目（谷折り）に形成されるマークを示す図である。
【図４】マーク印刷フラグによって印刷されるマークの一例を示す図である。
【符号の説明】
【００５６】
１２  印刷データ受信装置
５０  制御装置
５２  記憶装置
【図１】
2009023119.tif 000003
【図２】
2009023119.tif 000004
【図３】
2009023119.tif 000005
【図４】
2009023119.tif 000006